(57)【要約】【課題】  記録されるデータの再生品質を向上させる。【解決手段】  情報記録装置（１）は、駆動パルスに基づきレーザパワーを変化させてレーザ光（ＬＢ）を照射することで、記録情報の記録を制御するためのプリ情報が予め記録された情報記録媒体（１００）に記録情報を記録する記録手段（５０１ａ）と、駆動パルスを少なくともトップパルス（Ｐｏ）とミドルパルス（Ｐｍ）とに変化させる第１制御手段（５０４）と、少なくともトップパルス及びミドルパルスのパルス比（Ｐｏ／Ｐｍ）とプリ情報の再生品質である第１再生品質との相関関係を示す第１相関情報に基づいて、第１再生品質が所定の第１基準を満たすパルス比である最適比を検出する最適比検出手段（５５０）と、駆動パルスを最適比に応じたパルス比に変化させる第２制御手段（５０４）とを備える。【選択図】  図５
2005228410.tif 000002
【特許請求の範囲】
【請求項１】
駆動パルスに基づきレーザパワーを変化させてレーザ光を照射することで、記録情報の記録を制御するためのプリ情報が予め記録された情報記録媒体に前記記録情報を記録する記録手段と、
前記駆動パルスを少なくともトップパルスとミドルパルスとに変化させる第１制御手段と、
少なくとも前記トップパルス及び前記ミドルパルスのパルス比と前記プリ情報の再生品質である第１再生品質との相関関係を示す第１相関情報に基づいて、前記第１再生品質が所定の第１基準を満たすパルス比である最適比を検出する最適比検出手段と、
前記駆動パルスを前記最適比に応じたパルス比に変化させる第２制御手段と
を備えることを特徴とする情報記録装置。
【請求項２】
前記レーザパワーを変化させると共に該レーザパワーに対応する前記駆動パルスを所定の前記パルス比に応じて変化させながら前記情報記録媒体に試し記録用の第１試し情報を書き込む第１書込手段と、
前記第１試し情報を再生することで、前記第１試し情報の再生品質である第２再生品質が所定の第２基準を満たす前記レーザパワーを最適パワーとして検出する最適パワー検出手段と、
前記最適パワーに対応する前記駆動パルスの前記パルス比を変化させながら、前記情報記録媒体に試し記録用の第２試し情報を書き込む第２書込手段と、
前記第２試し情報が書き込まれた記録領域に予め記録されている前記プリ情報の前記第１再生品質を測定し、且つ該測定された第１再生品質及び対応する前記パルス比に基づいて前記第１相関情報を作成する作成手段と
を更に備えることを特徴とする請求項１に記載の情報記録装置。
【請求項３】
前記最適パワー検出手段は、前記第２再生品質としてのアシンメトリ及びジッタ値の少なくとも一方が前記第２基準を満たす前記レーザパワーを前記最適パワーとして検出することを特徴とする請求項２に記載の情報記録装置。
【請求項４】
前記レーザパワーを変化させると共に該レーザパワーに対応する前記駆動パルスの前記パルス比を変化させながら前記情報記録媒体に試し記録用の第３試し情報を書き込む第３書込手段と、
前記第３試し情報が書き込まれた記録領域に予め記録されている前記プリ情報の前記第１再生品質を測定し、且つ該測定された第１再生品質及び前記パルス比に基づき前記第１相関情報を作成する作成手段と
を備えることを特徴とする請求項１に記載の情報記録装置。
【請求項５】
前記最適比検出手段は、前記第３試し情報が書き込まれた記録領域に予め記録されている前記プリ情報の前記第１再生品質が前記第１基準を満たすか否かを判定する判定手段を更に備え、
前記第３書込手段は、前記判定手段により前記第１基準を満たさないと判定された場合に、前記パルス比を変化させて前記第３試し情報を書き込むことを特徴とする請求項４に記載の情報記録装置。
【請求項６】
前記記録手段は、前記作成された第１相関情報を前記情報記録媒体に記録することを特徴とする請求項２から５のいずれか一項に記載の情報記録装置。
【請求項７】
前記作成された第１相関情報を格納するための格納手段を更に備えることを特徴とする請求項２から６のいずれか一項に記載の情報記録装置。
【請求項８】
前記最適比検出手段は、前記プリ情報が予め記録されている記録領域に記録される記録情報の再生品質である第２再生品質が所定の第２基準を満たす場合に、前記第１再生品質が前記第１基準を満たす前記パルス比を前記最適比として検出することを特徴とする請求項１から７のいずれか一項に記載の情報記録装置。
【請求項９】
前記情報記録媒体は、前記記録情報を記録する際の基準記録速度と比較して４倍速以上の記録速度で前記記録情報を記録可能であることを特徴とする請求項１から８のいずれか一項に記載の情報記録装置。
【請求項１０】
前記４倍速以上の記録速度で前記記録情報を記録する場合には、前記最適比検出手段は、前記第１再生品質が前記第１基準を満たす前記パルス比を前記最適比として検出し、
前記基準記録速度と比較して４倍速未満の記録速度で前記記録情報を記録する場合には、前記最適比検出手段は、前記記録情報の再生品質である第２再生品質としてのジッタ値及びアシンメトリ値の少なくとも一方が所定の第２基準を満たす前記パルス比を前記最適比として検出することを特徴とする請求項９に記載の情報記録装置。
【請求項１１】
前記プリ情報は、前記情報記録媒体の記録トラック上に形成されているプリピットにより前記情報記録媒体に予め記録されていることを特徴とする請求項１から１０のいずれか一項に記載の情報記録装置。
【請求項１２】
前記プリピットを再生することで生成されるプッシュプル信号の最大振幅と最小振幅とに基づいて、前記第１再生品質を測定する測定手段を更に備えることを特徴とする請求項１１に記載の情報記録装置。
【請求項１３】
前記プリピットを再生することで取得される前記プリ情報の再生エラーレートに基づいて、前記第１再生品質を測定する測定手段を更に備えることを特徴とする請求項１１に記載の情報記録装置。
【請求項１４】
前記プリ情報は、所定周期で揺動する前記情報記録媒体の記録トラックに加えられる変調信号により前記情報記録媒体に予め記録されていることを特徴とする請求項１から１０のいずれか一項に記載の情報記録装置。
【請求項１５】
駆動パルスに基づきレーザパワーを変化させてレーザ光を照射することで、記録情報の記録を制御するためのプリ情報が予め記録された情報記録媒体に前記記録情報を記録する情報記録装置における情報記録方法であって、
前記駆動パルスを少なくともトップパルスとミドルパルスとに変化させる第１制御工程と、
少なくとも前記トップパルス及び前記ミドルパルスの夫々の比であるパルス比と前記プリ情報の再生品質である第１再生品質との相関関係を示す第１相関情報に基づいて、前記第１再生品質が所定の第１基準を満たすパルス比である最適比を検出する最適比検出工程と、
前記駆動パルスを前記最適比に応じたパルス比に変化させる第２制御工程と
を備えることを特徴とする情報記録方法。
【請求項１６】
請求項１から１４のうちいずれか一項に記載の情報記録装置に備えられたコンピュータを制御する記録制御用のコンピュータプログラムであって、該コンピュータを、前記記録手段、前記第１制御手段、前記最適比検出手段及び前記第２制御手段のうち少なくとも一部として機能させることを特徴とするコンピュータプログラム。
【発明の詳細な説明】
【技術分野】
【０００１】
本発明は、例えばＤＶＤレコーダ等の情報記録装置及び方法、並びにコンピュータをこのような情報記録装置として機能させるコンピュータプログラムの技術分野に属する。
【背景技術】
【０００２】
例えばＤＶＤ−ＲやＤＶＤ−ＲＷ等の情報記録媒体に対してデータを記録する際には、レーザ光を当該情報記録媒体の記録面に照射して記録マークを形成することで行う。そして、このレーザ光の波形は、適切にデータが記録できるように、レーザ光を照射するための駆動パルスを規定するパルスストラテジによって制御されている。更に、これらの情報記録媒体に対してデータを記録するための記録速度は技術の進歩と共に増加しており、例えば２倍速の記録速度や４倍速の記録速度等が実現されている。
【０００３】
他方で、このように記録速度が増加するにつれて、データを記録する際のレーザ光の波形制御（或いは、パルス制御）が困難になるという新たな技術的問題が生じている。このような技術的問題に対して、本件出願人らにより、レーザ光の波形のうち記録マークを形成するためのマーク期間の波形において、中間バイアス期間（即ち、ミドルパルスが形成される期間）を設ける技術が考案されている（特許文献１）。このように中間バイアス期間を設けることで、記録速度が増加しても適切にレーザ光の波形を制御することが可能となる。そして、このような中間バイアス期間におけるレーザ光のパワー値とマーク期間のうち中間バイアス期間を除くトップパルス期間におけるレーザ光のパワー値との比率は、一般的にＰｏ／Ｐｍ比と称されている。実際に情報記録媒体にデータを記録する際には、情報記録媒体に予め記録されているマニュファクチャラーコードを読み取ったりすることで、予め定められた適切なＰｏ／Ｐｍ比（或いは、適切なパルスストラテジ）によってレーザ光の波形を制御している。
【０００４】
【特許文献１】特開第２００３−８５７５３号公報
【発明の開示】
【発明が解決しようとする課題】
【０００５】
しかしながら、このように中間バイアス期間を設けることによっても、特に記録速度が増加する場合には、情報記録媒体や情報記録装置等の個々のばらつきによっては、適切なパルスストラテジであっても適切にデータを記録することができないという技術的な問題点を有している。このため、例えば情報記録媒体としての一例であるＤＶＤ−Ｒ／ＲＷにおいては、特にデータを記録した後のランドプリピットの読取特性であるＡＲ特性が悪化してしまうという技術的な問題点を有している。即ち、データを記録した後のランドプリピットの再生品質が悪化するがゆえに、適切にこのランドプリピットを再生することができないという技術的な問題点を有している。言い換えれば、レーザ光のパワーを好適に規定することができないがゆえに、情報記録媒体に好適にデータを記録することができない或いは当該記録されたデータを好適に再生することができないという技術的問題点を含んでいる。
【０００６】
本発明は、例えば上述した従来の問題点に鑑みなされたものであり、例えば光ディスク等の情報記録媒体に適切にデータを記録することを可能とならしめる情報記録装置及び方法並びにコンピュータをこのような情報記録装置として機能させるコンピュータプログラムを提供することを課題とする。
【課題を解決するための手段】
【０００７】
上記課題を解決するために、請求項１に記載の情報記録装置は、駆動パルスに基づきレーザパワーを変化させてレーザ光を照射することで、記録情報の記録を制御するためのプリ情報が予め記録された情報記録媒体に前記記録情報を記録する記録手段と、前記駆動パルスを少なくともトップパルスとミドルパルスとに変化させる第１制御手段と、少なくとも前記トップパルス及び前記ミドルパルスのパルス比と前記プリ情報の再生品質である第１再生品質との相関関係を示す第１相関情報に基づいて、前記第１再生品質が所定の第１基準を満たすパルス比である最適比を検出する最適比検出手段と、前記駆動パルスを前記最適比に応じたパルス比に変化させる第２制御手段とを備える。
【０００８】
上記課題を解決するために、請求項１５に記載の情報記録方法は、駆動パルスに基づきレーザパワーを変化させてレーザ光を照射することで、記録情報の記録を制御するためのプリ情報が予め記録された情報記録媒体に前記記録情報を記録する情報記録装置における情報記録方法であって、前記駆動パルスを少なくともトップパルスとミドルパルスとに変化させる第１制御工程と、少なくとも前記トップパルス及び前記ミドルパルスのパルス比と前記プリ情報の再生品質である第１再生品質との相関関係を示す第１相関情報に基づいて、前記第１再生品質が所定の第１基準を満たすパルス比である最適比を検出する最適比検出工程と、前記駆動パルスを前記最適比に応じたパルス比に変化させる第２制御工程とを備える。
【０００９】
上記課題を解決するために、請求項１６に記載のコンピュータプログラムは、請求項１から１４のうちいずれか一項に記載の情報記録装置に備えられたコンピュータを制御する記録制御用のコンピュータプログラムであって、該コンピュータを、前記記録手段、前記第１制御手段、前記最適比検出手段及び前記第２制御手段のうち少なくとも一部として機能させる。
【００１０】
本発明の作用及び他の利得は次に説明する実施の形態から明らかにされよう。
【発明を実施するための最良の形態】
【００１１】
以下、発明を実施するための最良の形態としての本発明の実施形態に係る情報記録媒体、情報記録装置及び方法、並びにコンピュータプログラムについて順に説明する。
【００１２】
本発明の情報記録装置に係る実施形態は、駆動パルスに基づきレーザパワーを変化させてレーザ光を照射することで、記録情報の記録を制御するためのプリ情報が予め記録された情報記録媒体に前記記録情報を記録する記録手段と、前記駆動パルスを少なくともトップパルスとミドルパルスとに変化させる第１制御手段と、少なくとも前記トップパルス及び前記ミドルパルスのパルス比と前記プリ情報の再生品質である第１再生品質との相関関係を示す第１相関情報に基づいて、前記第１再生品質が所定の第１基準を満たすパルス比である最適比を検出する最適比検出手段と、前記駆動パルスを前記最適比に応じたパルス比に変化させる第２制御手段とを備える。
【００１３】
本発明の情報記録装置に係る実施形態によれば、記録手段の動作により、情報記録媒体にレーザ光を照射することで記録情報を記録することができる。特に、第１制御手段は、記録手段の駆動パルスとして相対的に高い波高値（即ち、レーザパワー）を有するトップパルスと相対的に低い波高値を有するミドルパルスとを適宜相互に変化させながらレーザ光を照射することができる。即ち、照射されるレーザ光のパワーを変化させる（具体的には、トップパルス或いはミドルパルス或いは必要に応じてそれ以外のパルスとに変化させる）ことができる。加えて、夫々のパルスの波高値を変化させることで、レーザ光のレーザパワーを任意に変化させることができるように構成することが好ましい。
【００１４】
本実施形態では特に、トップパルスとミドルパルスとの比（例えば、トップパルス及びミドルパルスの夫々の波高値の比）であるパルス比について、記録情報の記録を制御するために用いられるプリ情報の再生品質である第１再生品質が所定の第１基準を満たすようなパルス比を最適比として検出する最適比検出手段を備えている。ここに、「所定の第１基準」とは、あるパルス比に応じて記録情報が記録された記録領域に記録されているプリ情報を再生した際の第１再生品質（例えば、後述のＡＲ（Aperture Ratio）特性等）が好適な状態ないし数値を実現できるような基準を示す。即ち、第１再生品質が所定の第１基準を満たすようなプリ情報は、好適に再生を行うことができるがゆえに、記録情報も好適な再生することができる。また、プリ情報の再生品質は、実施例において後述するように、プリ情報自体を再生することでも求めることができるし、例えばプリ情報が記録されている記録領域に記録される記録情報を再生することでも求めることができる。そして、この所定の第１基準は予め定められているものであってもよいし、或いは記録動作に応じて適宜設定するものであってもよい。そして、最適比の検出は、パルス比と第１再生品質との相関関係を示す第１相関情報に基づいて行われる。即ち、第１相関情報が示すパルス比と第１再生品質との相関関係を参照して、より好適に所定の第１条件を満たすようなパルス比を最適比として検出する。そして検出された最適比に基づいて、第２制御手段の動作により、トップパルスとミドルパルスとが最適比に応じたパルス比になるように制御され、それによってレーザパワーを制御してレーザ光を照射するように記録手段が制御される。
【００１５】
これにより、トップパルスとミドルパルスとを適宜変化させつつレーザ光を照射させる情報記録装置において、好適に最適なパルス比を検出することができる。更に、パルス比と実際に記録されているプリ情報の再生品質との相関関係に基づいて最適比を検出しているため、情報記録装置毎のばらつきや情報記録媒体毎のばらつき等によらず、好適な最適比を検出することができる。従って、本実施形態に係る情報記録装置によれば、この最適比に基づいて適切に記録情報を記録することが可能となる。そして、このように記録された記録情報の再生品質を好適に向上させることが可能となる。
【００１６】
尚、従来の情報記録装置においては、予め定められたパルス比に応じてレーザパワーを変化させてレーザ光を照射することで記録情報を記録している。このため、記録される記録情報の再生品質は、ＯＰＣ（Optimum Power Control）等により検出された最適パワーに委ねられている。特にＯＰＣ等にあっては再生品質として、記録情報のアシンメトリやジッタ値等が好適な状態となるように最適パワーの検出がなされている。このため、その他の再生品質（例えば、プリ情報の第１再生品質）が悪化してしまうおそれもあった。しかるに本実施形態に係る情報記録装置では、記録情報の再生品質が好適な状態となるように（特に、プリ情報の第１再生品質が第１基準を満たすように）、記録情報の好適な再生品質を実現すべく最適比が検出される。このため、従来の情報記録装置によって記録される記録情報の再生品質と比較して、その再生品質をより向上させることが可能となる。
【００１７】
以上の結果、本実施形態に係る情報記録装置によれば、適切なパルス比たる最適比を好適に検出することができる。それに伴って、情報記録媒体に対して、好適に記録情報を記録することが可能となる。
【００１８】
本発明の情報記録装置に係る実施形態の一の態様は、前記レーザパワーを変化させると共に該レーザパワーに対応する前記駆動パルスを所定の前記パルス比に応じて変化させながら前記情報記録媒体に試し記録用の第１試し情報を書き込む第１書込手段と、前記第１試し情報を再生することで、前記第１試し情報の再生品質である第２再生品質が所定の第２基準を満たす前記レーザパワーを最適パワーとして検出する最適パワー検出手段と、前記最適パワーに対応する前記駆動パルスの前記パルス比を変化させながら、前記情報記録媒体に試し記録用の第２試し情報を書き込む第２書込手段と、前記第２試し情報が書き込まれた記録領域に予め記録されている前記プリ情報の前記第１再生品質を測定し、且つ該測定された第１再生品質及び対応する前記パルス比に基づいて前記第１相関情報を作成する作成手段とを更に備える。
【００１９】
この態様によれば、所謂ＯＰＣ動作の如く、第１書込手段の動作により、所定のパルス比を有する駆動パルスを変化させることでレーザパワーを適宜変化させながら（即ち、例えば段階的に所定量ずつ或いは連続的に所定割合ずつ変化させながら）第１試し情報を記録した後、最適パワー検出手段の動作により当該第１試し情報を再生することで最適パワーを検出する。その後、第２書込み手段の動作により、この最適パワーに対応する駆動パルスにてレーザパワーを設定した後、パルス比を適宜変化させながら第２試し情報を記録する。そして、作成手段の動作により当該第２試し情報を再生することで第１相関情報を作成することができる。即ち、異なるパルス比で記録された第２試し情報の再生品質とパルス比との関係を示す第１相関情報を作成することができる。従って、この第１相関情報に基づいて好適に最適比を検出することができる。
【００２０】
上述の如く第１書込手段等を備える情報記録装置の態様では、前記最適パワー検出手段は、前記第２再生品質としてのアシンメトリ及びジッタ値の少なくとも一方が前記第２基準を満たす前記レーザパワーを前記最適パワーとして検出するように構成してもよい。
【００２１】
このように構成すれば、通常のＯＰＣ（Optimum Power Control）の如く好適に最適パワーを検出することが可能となる。
【００２２】
本発明の情報記録装置に係る実施形態の他の態様は、前記レーザパワーを変化させると共に該レーザパワーに対応する前記駆動パルスの前記パルス比を変化させながら前記情報記録媒体に試し記録用の第３試し情報を書き込む第３書込手段と、前記第３試し情報が書き込まれた記録領域に予め記録されている前記プリ情報の前記第１再生品質を測定し、且つ該測定された第１再生品質及び前記パルス比に基づき前記第１相関情報を作成する作成手段とを備える。
【００２３】
この態様によれば、駆動パルスを変化させることでレーザパワーを段階的に或いは連続的に変化させながら第３試し情報を記録すると共に、更に該レーザパワーに対応する駆動パルスのパルス比を段階的に或いは連続的に変化させつつ（より好ましくは、必要に応じてパルス比を変化させつつ）第３試し情報を記録することで第１相関情報等を好適に作成することができる。このため、この作成された第１相関情報等に基づいて、最適比をより好適に検出することが可能となる。
【００２４】
尚、本実施形態において記載されている第１試し情報、第２試し情報及び第３試し情報の夫々は、同一の情報であってもよいし夫々異なっていても良い。要は、通常のコンテンツデータ等を含む記録情報と異なる形式の情報である旨を示しているにすぎない。
【００２５】
上述の如く第３書込手段等を備える情報記録装置の態様では、前記最適比検出手段は、前記第３試し情報が書き込まれた記録領域に予め記録されている前記プリ情報の前記第１再生品質が前記第１基準を満たすか否かを判定する判定手段を更に備え、前記第３書込手段は、前記判定手段により前記第１基準を満たさないと判定された場合に、前記一のパルス比を変化させて前記第３試し情報を書き込むように構成してもよい。
【００２６】
このように構成すれば、あるパルス比に応じたレーザ光により第３試し情報が記録された記録領域に予め記録されているプリ情報の再生品質が第１基準を満たしていれば、当該あるパルス比を最適比として検出することができる。他方、あるパルス比に応じたレーザ光により第３試し情報が記録された記録領域に予め記録されているプリ情報の再生品質が第１基準を満たしていなければ、パルス比を変化させた後、該変化させた後のパルス比に応じたレーザ光により改めて第３試し情報を記録し、この第３試し情報が改めて記録された記録領域に予め記録されているプリ情報の再生品質が第１基準を満たしているか否かを判定する。従って、不必要に或いは無駄にパルス比を変化させる動作を行なうことなく、効率的に最適比を検出することが可能となる。
【００２７】
上述の如く作成手段を備える情報記録装置の態様では、前記記録手段は、前記作成された第１相関情報を前記情報記録媒体に記録するように構成してもよい。
【００２８】
このように構成すれば、一度作成した第１相関情報を、作成後も継続して使用することが可能となる。従って、改めて最適比を検出する際に再度第１相関情報を作成するという手間を省くことができる。
【００２９】
特に、情報記録媒体自身に第１相関情報を記録するため、当該情報記録媒体を情報記録装置からイジェクトした後に新たに別の情報記録装置にローディングした場合であっても、情報記録媒体中に記録された第１相関情報を用いて、上述の如く最適比を適切に検出することができる。
【００３０】
上述の如く作成手段を備える情報記録装置の態様では、前記作成された第１相関情報を格納するための格納手段を更に備えるように構成してもよい。
【００３１】
このように構成すれば、一度作成した第１相関情報を、作成後も使用し続けることが可能となる。従って、改めて最適比を検出する際に再度第１相関情報を作成するという手間を省くことができる。
【００３２】
特に、情報記録装置自身が備える格納手段に第１相関情報を格納するため、第１相関情報を作成した情報記録媒体とは異なる他の情報記録媒体に記録情報を記録する際にも、当該第１相関情報を用いて最適比を検出することが可能となる。特に、同一種類、同一品質、同一製造元等の情報記録媒体に記録をする際に有効となる。
【００３３】
このとき、第１相関情報を、情報記録媒体の識別番号（例えば、製造者番号やディスクＩＤ等）毎に区分して格納することが好ましい。
【００３４】
本発明の情報記録装置に係る実施形態の他の態様では、前記プリ情報が予め記録されている記録領域に記録される記録情報の再生品質である第２再生品質（例えば、ジッタ値及びアシンメトリ値の少なくとも一方）が所定の第２基準を満たす場合に、前記第１再生品質が前記第１基準を満たす前記パルス比を前記最適比として検出するように構成してもよい。
【００３５】
このように構成すれば、記録情報の記録後のプリ情報の再生品質のみならず、記録情報に係る他の再生品質たるジッタ値やアシンメトリ等の向上をも十分に考慮して最適比を検出することが可能となる。従って、情報記録媒体により好適に記録情報を記録することが可能となる。
【００３６】
本発明の情報記録装置に係る実施形態の他の態様は、前記情報記録媒体は、前記記録情報を記録する際の基準記録速度と比較して４倍速以上の記録速度で前記記録情報を記録可能である。
【００３７】
この態様によれば、特に高速記録時（即ち、基準記録速度たる１倍速の記録速度と比較して概ね４倍速以上の記録速度での記録時）において問題となる記録情報を記録した後のプリ情報の再生品質の悪化を効果的に防ぐことができる。従って、低速記録時においても高速記録時においても、記録情報の再生品質（特に、プリ情報の再生品質）の向上を図ることが可能となる。
【００３８】
上述の如く高速な記録速度で記録情報を記録可能な情報記録装置の態様では、前記４倍速以上の記録速度で前記記録情報を記録する場合には、前記最適比検出手段は、前記第１再生品質が前記第１基準を満たす前記パルス比を前記最適比として検出し、前記基準記録速度と比較して４倍速未満の記録速度で前記記録情報を記録する場合には、前記最適比検出手段は、前記記録情報の再生品質である第２再生品質としてのジッタ値及びアシンメトリ値の少なくとも一方が所定の第２基準を満たす前記パルス比を前記最適比として検出するように構成してもよい。
【００３９】
このように構成すれば、４倍速以上の比較的高速な記録速度での記録動作時と４倍速未満の比較的低速な記録速度での記録動作時とで、最適比を検出する際の基準を分けることができる。従って、特に高速記録時に問題となる記録情報を記録した後のプリ情報の再生品質の悪化を高速記録時には効果的に防ぐことができる。他方でこのプリ情報の再生品質の悪化がさほど大きな問題とならない低速記録時には他の再生品質たるジッタ値やアシンメトリをより良好な状態に保つことができる。従って、全体としてみれば低速記録時においても高速記録時においても、記録される記録情報の再生品質を好適に向上させることが可能となる。
【００４０】
本発明の情報記録装置に係る実施形態の他の態様は、前記プリ情報は、前記情報記録媒体の記録トラック上に形成されているプリピットにより前記情報記録媒体に予め記録されている。
【００４１】
この態様によれば、情報記録媒体としての一例であるＤＶＤ−ＲやＤＶＤ−ＲＷ等において、最適比を適切に検出することができるがゆえに、当該情報記録媒体に記録される記録情報の再生品質（特に、プリ情報の再生品質）を好適に向上させることが可能となる。
【００４２】
上述の如くプリピットによりプリ情報が記録されている情報記録媒体に記録情報を記録する情報記録媒体の態様では、前記プリピットを再生することで生成されるプッシュプル信号の最大振幅と最小振幅とに基づいて、前記第１再生品質を測定する測定手段を更に備えるように構成してもよい。
【００４３】
このように構成すれば、プッシュプル信号に基づいて、プリ情報の再生品質である第１再生品質を適切に測定することができる。従って、この測定された第１再生品質を用いて作成される第１相関情報に基づいて、適切に最適比を検出することができる。
【００４４】
上述の如くプリピットによりプリ情報が記録されている情報記録媒体に記録情報を記録する情報記録媒体の態様では、前記プリピットを再生することで取得される前記プリ情報の再生エラーレートに基づいて、前記第１再生品質を測定する測定手段を更に備えるように構成してもよい。
【００４５】
このように構成すれば、プリ情報のエラーレートに基づいて、プリ情報の再生品質である第１再生品質を適切に測定することができる。従って、この測定された第１再生品質を用いて作成される第１相関情報に基づいて、適切に最適比を検出することができる。
【００４６】
本発明の情報記録装置に係る実施形態の他の態様は、前記プリ情報は、所定周期で揺動する前記情報記録媒体の記録トラックに加えられる変調信号により前記情報記録媒体に予め記録されている。
【００４７】
この態様によれば、情報記録媒体としての一例であるＤＶＤ＋ＲやＤＶＤ＋ＲＷやＤＶＤ−ＲＡＭ等において、最適比を適切に検出することができるがゆえに、当該情報記録媒体に記録される記録情報の再生品質（特に、プリ情報の再生品質）を好適に向上させることが可能となる。
【００４８】
（情報記録方法の実施形態）
本発明の情報記録方法に係る実施形態は、駆動パルスに基づきレーザパワーを変化させてレーザ光を照射することで、記録情報の記録を制御するためのプリ情報が予め記録された情報記録媒体に前記記録情報を記録する記録手段と、前記駆動パルスを少なくともトップパルスとミドルパルスとに変化させる第１制御手段と、少なくとも前記トップパルス及び前記ミドルパルスのパルス比と前記プリ情報の再生品質である第１再生品質との相関関係を示す第１相関情報に基づいて、前記第１再生品質が所定の第１基準を満たすパルス比である最適比を検出する最適比検出手段と、前記駆動パルスを前記最適比に応じたパルス比に変化させる第２制御手段とを備える。
【００４９】
本発明の情報記録方法に係る実施形態によれば、上述した本発明の情報記録装置に係る実施形態と同様の各種利益を享受することができる。
【００５０】
尚、上述した本発明の情報記録装置に係る実施形態における各種態様に対応して、本発明に係る情報記録方法の実施形態も各種態様を採ることが可能である。
【００５１】
（コンピュータプログラムの実施形態）
本発明に係るコンピュータプログラムの実施形態は、コンピュータを上述した情報記録装置の実施形態（但し、その各種形態も含む）として機能させる。より具体的には、コンピュータを上述した情報記録装置の実施形態における前記記録手段、第１制御手段、前記最適比検出手段及び前記第２制御手段のうち少なくとも一部として機能させる。
【００５２】
本発明に係るコンピュータプログラムの実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る実施形態を比較的簡単に実現できる。
【００５３】
尚、上述した本発明の情報記録装置に係る実施形態における各種態様に対応して、本発明のコンピュータプログラムに係る実施形態も各種態様を採ることが可能である。
【００５４】
本発明のこのような作用及び他の利得は次に説明する実施の形態から明らかにされる。
【００５５】
以上説明したように、本発明の情報記録装置又は方法に係る実施形態によれば、記録手段、最適比検出手段及び制御手段、又は最適比検出工程及び制御工程を備える。従って、適切なパルス比たる最適比を好適に検出することができる。それに伴って、記録される記録情報の再生品質をより向上させることが可能となる。
【実施例】
【００５６】
以下、本発明の実施例を図面に基づいて説明する。
【００５７】
先ず、図１を参照して、本発明の情報記録装置に係る実施例において用いられる情報記録媒体について説明する。本実施例では、情報記録媒体として記録型の光ディスクを用いて説明を進める。ここに、図１は、上側に複数のエリアを有する光ディスクの構造を概略平面図で示すと共に、下側にその径方向におけるエリア構造を概念図で対応付けて示すものである。
【００５８】
図１に示すように、光ディスク１００は、例えば、記録（書き込み）が複数回又は１回のみ可能な、光磁気方式、相変化方式等の各種記録方式で記録可能とされており、ＤＶＤと同じく直径１２ｃｍ程度のディスク本体上の記録面に、センターホール１０２を中心として内周から外周に向けて、リードインエリア１０４、データ記録エリア１０６及びリードアウトエリア１０８が設けられている。そして、各エリアには、例えば、センターホール１０２を中心にスパイラル状或いは同心円状に、グルーブトラック及びランドトラックが交互に設けられており、このグルーブトラックはウォブリングされてもよいし、これらのうち一方又は両方のトラックにプリピットが形成されていてもよい。尚、本発明は、このような三つのエリアを有する光ディスクには特に限定されない。例えば、リードインエリア１０４やリードアウトエリア１０８が存在せずとも、以下に説明するファイル構造は構築可能である。また、リードインエリア１０４やリードアウト１０８は更に細分化された構成であってもよい。
【００５９】
（情報記録装置の実施例）
続いて、図２から図１６を参照して、本発明の情報記録装置に係る実施例について説明する。
【００６０】
（１）基本構成
先ず、図２を参照して実施例に係る情報記録装置の基本構成について説明する。ここに、図２は、本実施例に係る情報記録装置の基本構成を概念的に示すブロック図である。
【００６１】
図２に示すように、本実施例に係る情報記録装置１は、光ピックアップ５０１、スピンドルモータ５０２、ＲＦ（Radio Frequency）アンプ５０３、レーザドライブ回路５０４、ＯＰＣ（Optimum Power Control）回路５０５、Ｐｏ／Ｐｍ比変更回路５０６、トラッキングサーボ回路５０７、アクチュエータドライブ回路５０８、ＬＰＰ（Land Pre Pit）検出器５１０、ＧＡＴＥ作成回路５１１、ＬＰＰデータ検出器５１２、ＬＰＰエラーレート検出器５１３、記録アサインストラテジ検出器５１４、イコライザ５２０、ＲＦ振幅測定回路５２１、２値化回路５３０、デコーダ５３１、ＰＬＬ（Phase Locked Loop）５３２、ジッタ計測回路５４０、ＣＰＵ５５０、メモリ５６０を含んで構成されている。
【００６２】
光ピックアップ５０１は、光ディスク１００への記録又は再生を行うもので、半導体レーザ装置５０１ａや図示しない各種レンズ、アクチュエータ等から構成され、半導体レーザ装置５０１ａは本発明における「記録手段」の一具体例でありレーザ光を光ディスク１００に対して照射する。より詳細には、半導体レーザ装置５０１ａは、光ディスク１００に対してレーザ光ＬＢ等の光ビームを、再生時には読み取り光として第１のパワーで照射し、記録時には書き込み光として第２のパワーで且つ変調させながら照射する。このようなレーザ光ＬＢのパワー調整は、後述する「第１制御手段」及び「第２制御手段」の一具体例たるレーザドライブ回路５０４の制御の下に行われる。より具体的には、所定のパルスストラテジに規定される駆動パルスにより半導体レーザ装置５０１ａを駆動することで、所定のレーザパワーを有するレーザ光ＬＢが照射される。また、光ピックアップ５１０は、図示しないサーボ回路により駆動されるアクチュエータ、スライダ等により光ディスク１００の半径方向等に移動できるように構成されている。
【００６３】
スピンドルモータ５０２は、図示しないサーボ回路等によりスピンドルサーボを受けつつ所定速度で光ディスク１００を回転させるように構成されている。
【００６４】
ＲＦアンプ５０３は、半導体レーザ装置５０１ａから照射されるレーザ光ＬＢの反射光を受光する図示しないＰＤ（Photo Detector）から出力される信号を増幅し、該増幅した信号を出力する。具体的には、読取信号たるＲＦ信号（或いは、ＬＰＰ信号やウォブル信号等）がＬＰＰ検出器５１０やイコライザ５２０や２値化回路５３０やジッタ計測回路５４０に出力される。
【００６５】
レーザドライブ回路５０４は、本発明における「第１制御手段」及び「第２制御手段」の一具体例であって、後述のＯＰＣ処理時には、後述のＯＰＣパターンの記録及び再生処理により最適なレーザパワーの検出が行えるように、光ピックアップ５０１内に設けられた半導体レーザを駆動する。その後、データ記録時には、ＯＰＣ処理により検出された最適なレーザパワーで、光ピックアップ５０１の半導体レーザを駆動するように構成されている。このデータ記録時には、最適レーザパワーは、記録データに応じて変調される。
【００６６】
ＯＰＣ回路５０５は、記録動作前のＯＰＣ処理におけるＯＰＣパターンの記録時に、ＯＰＣパターンを示す信号を、レーザドライブ回路５０４に対して出力するように構成されている。なお、ＯＰＣ処理についての説明は、後に詳述する（図６等参照）。
【００６７】
Ｐｏ／Ｐｍ比変更回路５０６は、半導体レーザ装置５０１ａから照射されるレーザ光ＬＢのパワーを変化するために、半導体レーザ装置５０１ａを駆動するための駆動パルス比を変更可能に構成されている。具体的には、レーザ光ＬＢのパワーを変化させるためのトップパルス（Ｐｏ）とミドルパルス（Ｐｍ）の夫々の波高値の比率であるＰｏ／Ｐｍ比を変更する旨の指示をレーザドライブ回路５０４に出力することで、光ピックアップ５０１が備える半導体レーザ装置５０１ａを駆動するための駆動パルスを制御してレーザ光ＬＢのパワーを変更する。
【００６８】
ここで、このレーザ光ＬＢを照射するための駆動パルスについて、図３を参照してより詳細に説明する。ここに、図３は、データの記録時に照射されるレーザ光ＬＢを駆動するための駆動パルスと実際に記録される記録パターンとを概念的に示すグラフである。
【００６９】
光ディスク１００への記録動作は、例えばＤＶＤ−Ｒ／ＲＷ等であれば、３Ｔから１１Ｔないしは１４Ｔの記録パターンを組み合わせて行われる。そして、この記録パターンの組合せに応じて、所望のデータが光ディスク１００上に記録され、一連のコンテンツデータが形成される。
【００７０】
これらの記録パターンを記録する際には、図３に示すように、レーザ光ＬＢを照射するための駆動パルスの波形が所定の形状（例えば、所定のピーク値や所定のデューティー比等を有する形状）となるように、パルスストラテジに基づいて、例えばレーザドライブ回路５０４により制御される。図３では、記録パターンの一具体例として、３Ｔパターンと６Ｔパターンとの組み合わせを図示している。図３中最上部に示す波形が、実際に光ディスク１００上に記録される記録パターンを示している。
【００７１】
これらの記録パターンを例えば４倍速或いは６倍速の記録速度で記録する際には、図３中中部に示す波形を有する駆動パルスに基づいてレーザ光ＬＢを照射する。具体的に説明すると、相対的に短い記録パターンである３Ｔパターンを記録する際には、そのピーク値をＰｏとするトップパルスの形状を有する駆動パルスに基づいて、当該駆動パルスに対応するレーザパワーにてレーザ光ＬＢが照射される。即ち、パルスのピーク値が“Ｐｏ”であって、且つそのパルス幅が“３Ｔｔｏｐ”となる駆動パルスに基づいて照射されるレーザ光ＬＢにより、３Ｔパターンの記録マーク（或いは、ピット）が形成される。一方、相対的に長い記録パターンである６Ｔパターンを記録する際には、図３中下部に示すような駆動パルスに基づいて、該駆動パルスに対応するレーザパワーにてレーザ光ＬＢが照射される。即ち、パルスのピーク値が“Ｐｏ”であって且つそのパルス幅が“ｎＴｔｏｐ”となるパルス、パルスのピーク値が“Ｐｍ”であって且つそのパルス幅が“ｎＴｗｔ−ｎＴｔｏｐ−ｎＴｌｐ”となるパルス、並びにパルスのピーク値が“Ｐｏ”であって且つそのパルス幅が“ｎＴｌｐ”となるパルスを図３中下部に示すように組み合わせてなる駆動パルスに基づいて照射されるレーザ光ＬＢにより、６Ｔパターンの記録マーク（或いは、ピット）が形成される。このような駆動パルスの波形は、例えばパルスストラテジにより規定される。そして、当該パルスストラテジに基づいて、例えばレーザドライブ回路５０４の動作により駆動パルスが光ピックアップ５０１内の半導体レーザ装置５０１ａに入力され、実際にレーザ光ＬＢが照射されている。
【００７２】
より高速な８倍速の記録速度で記録パターンを記録する場合も動揺に、相対的に短い記録パターンの記録時には、トップパルスの形状を有する駆動パルスに基づいてレーザ光ＬＢが照射され、相対的に長い記録パターンの記録時には、トップパルスとミドルパルスとを適宜変化させてなる駆動パルスに基づいてレーザ光ＬＢが照射される。
【００７３】
このようにレーザ光ＬＢを照射するための駆動パルスの波形を制御することで、比較的高速な記録速度にて記録パターンを記録する場合であっても、適切な形状を有する記録パターン（或いは、記録マークや記録ピット）を光ディスク１００上に形成することができる（図９（ａ）に示すピットの形状を参照）。そして、図２に示すＰｏ／Ｐｍ変更回路５０６は、図３に示すトップパルスのピーク値ＰｏとミドルパルスＰｍのピーク値との比率（即ち、Ｐｏ／Ｐｍ比）を任意に変更することが可能に構成されている。
【００７４】
また、３Ｔパターンと６Ｔパターンとを記録する間の時間においては、レーザ光ＬＢの照射を停止することなく（即ち、レーザパワーを０にすることなく）、概ね再生レーザパワーＰｂにてレーザ光ＬＢの照射を継続していることが好ましい。このとき、再生レーザパワーＰｂをより小さくすることで、レーザ光ＬＢが照射されている記録エリアへの影響を小さくすることができるため好ましい。但し、記録トラックのトラッキングに必要な最小限のレーザパワーを有するレーザ光ＬＢが照射されていることがより好ましい。
【００７５】
再び図２において、トラッキングサーボ回路５０７は、光ピックアップ５０１からの読取信号よりトラッキングエラー信号等の各種サーボ信号を検出可能に構成されている。そして、この各種サーボ信号は、アクチュエータドライブ回路５０８や或いはスピンドルモータ５０２へ出力可能に構成されている。
【００７６】
アクチュエータドライブ回路５０８は、トラッキングサーボ回路５０７から出力される各種サーボ信号に基づき、光ディスク１００の径方向或いは回転方向への光ピックアップ５０１の移動を制御可能に構成されている。そして、アクチュエータドライブ回路５０７によりその移動が制御されている光ピックアップ５０１により、光ディスク１００の所望の記録位置にレーザ光ＬＢが照射されることで各種データを記録することが可能となる。
【００７７】
ＬＰＰ検出器５１０は、光ピックアップ５０１内に設けられた反射ビーム光を受光する検出器たるＲＦアンプ５０３からの受光量に応じた出力信号に基づいて、ＬＰＰ信号を示すプッシュプル信号を検出可能に構成されている。このとき、プッシュプル信号を検出するために、光ピックアップ５０１の受光素子は、例えば２分割或いは４分割等複数の領域に分けてレーザ光ＬＢの反射光を受光可能に構成されていることが好ましい。
【００７８】
尚、ＬＰＰとは、本発明における「プリ情報」の一具体例であって、光ディスク１００の一具体例としてのＤＶＤ−Ｒ／ＲＷ等の記録トラック（特に、ランドトラック）上に予め形成されているピットであって、例えば光ディスク１００上のアドレス位置や、データ記録時の記録クロック信号の生成のために用いられる。
【００７９】
ＧＡＴＥ作成回路５１１は、ＬＰＰデータを検出するためのゲート信号を作成可能に構成されている。具体的には、ＬＰＰが形成されているウォブルを対象としてゲート信号を作成することで、ＬＰＰデータを検出可能にすると共に、ＬＰＰデータに含まれるノイズを効果的に除去することができる。もちろん、ウォブル信号を検出して作成されるゲート信号を用いてもＬＰＰデータを検出することができることはいうまでもない。
【００８０】
ＬＰＰデータ検出器５１２は、ＬＰＰ検出器５１０より出力されるＬＰＰ信号から、ＧＡＴＥ作成回路５１１により作成されたゲート信号に基づいて、ＬＰＰデータを検出可能に構成されている。例えばＬＰＰデータより、光ディスク１００上におけるアドレス位置を示すプリフォーマットアドレス情報や、記録動作の際のクロックを示す情報を検出可能に構成されている。
【００８１】
ＬＰＰエラーレート検出器５１３は、ＬＰＰデータ検出器５１２において検出されたＬＰＰデータのエラーの発生率（即ち、エラーレート）を検出可能に構成されている。このエラーレートは、例えば記録後ＬＰＰ特性（或いは、ＢＥＲＬＰＰａ：Block Error Rate LPP after）と称され、ＡＲ特性と同様の数値を示すものである。
【００８２】
ここで、ＡＲ特性について簡単な説明を加える。光ピックアップ５０１は、図示しない２分割受光回路を備えており、夫々の分割再生信号からプッシュプル信号を生成することが出来る。そして、このプッシュプル信号成分のうち光ディスク１００上に設けられている記録トラックであるグループトラック方向の信号成分の最大振幅と最小振幅との比率をＡＲ特性と称している。例えば、ＤＶＤ−Ｒ／ＲＷ上に設けられているＬＰＰを再生したときの再生信号をオシロスコープ上で重ね合わせることで、その再生信号の最大振幅と最低振幅とを認識することができ、これよりＡＲ特性を算出することができる。但し、実際の情報記録装置１においては、ＬＰＰデータのエラーレートを算出することで、ＡＲ特性の測定と同等の確認が可能であり、同等の動作を行なうことができる。
【００８３】
記録アサインストラテジ検出器５１４は、ＬＰＰに記録されているデフォールトとしてのパルスストラテジを、ＬＰＰデータ検出器５１２が検出したＬＰＰデータより検出可能に構成されている。そして、この検出されたストラテジに基づいて、図３において示したような駆動パルスに基づいてレーザ光ＬＢが照射される。
【００８４】
イコライザ５２０は、ＲＦアンプ５０３により検出されたＲＦ信号等に対して所定のフィルタリング（或いは、信号処理）を行い、且つフィルタリング後の信号（例えば、エンベロープ検波等）をＲＦ振幅測定回路５２１へ出力可能に構成されている。
【００８５】
ＲＦ振幅測定回路５２１は、ＯＰＣ処理におけるＯＰＣパターンの再生時に、ＣＰＵ５５０の制御下で、最適レーザパワーを検出するために、ＲＦアンプ５０３からの出力信号たるＲＦ信号のエンベロープ検波のピーク値及びボトム値を検出するように構成されている。係るＲＦ振幅測定回路５２１は、例えばＡ／Ｄ（Analog/Digital）コンバータ等を含んでいるように構成されてもよい。
【００８６】
２値化回路５３０は、ＲＦアンプ５０３により検出されたＲＦ信号等から２値化信号を作成可能に構成されている。具体的には、例えば検出されたＲＦ信号等よりパルス列を作成する。そして、２値化された信号をデコーダ５３１及びＰＬＬ５３２の夫々へ出力可能に構成されている。
【００８７】
デコーダ５３１は、２値化回路５３０で２値化されたＲＦ信号に復調等を施すことで、再生データをバッファや外部出力インタフェース経由で外部へ出力可能に構成されている。そして、当該外部出力インタフェースに接続された外部出力機器（例えば、液晶ディスプレイやプラズマディスプレイ等の表示デバイス、或いはスピーカ等）において、所定のコンテンツが再生出力されることとなる。
【００８８】
ＰＬＬ５３２は、２値化回路５３０から出力される２値化信号（特に、２値化されたＬＰＰ信号やウォブル信号）に基づいて、記録動作時の基準となるクロック信号を生成可能に構成されている。
【００８９】
ジッタ計測回路５４０は、ＲＦアンプ５０３により検出されたＲＦ信号からジッタ値を検出可能に構成されている。
【００９０】
ＣＰＵ５５０は、当該情報記録装置１全体の動作を制御するべく、例えば、Ｐｏ／Ｐｍ比変更回路５０６や記録アサインストラテジ検出器５１４やＲＦ振幅測定回路５２１やジッタ計測回路５４０等からデータを受け取り、その後の制御動作を行なう。そして、これらのデータに基づき、情報記録装置１が備える各手段に対してシステムコマンドを出力することで、情報記録装置１全体の制御を行う。通常、ＣＰＵ５５０が動作するためのソフトウェアは、例えば図示しないＲＯＭ等に格納されている。
【００９１】
メモリ５６０は、例えばＲＡＭ（Random Access Memory）やフラッシュメモリ等の半導体メモリを含んでなり、情報記録装置１の動作に必要な各種データを一時的に記録可能に構成されている。また、後述するように相関式や最適記録パワーＰｏ、或いは最適比等を記録可能に構成されている。
【００９２】
尚、上述した情報記録装置１においては、本発明の特徴をより分かりやすく説明するために、本実施例において必要となる構成要件を抜き出して図示している。このため、上述した構成要件以外の構成要件を備えていても良いことはいうまでもない。
【００９３】
また、図２を参照して説明した本実施例に係る情報記録装置は、情報記録再生装置の実施例も兼ねる。即ち、光ピックアップ５０１やＲＦアンプ５０３を介して記録情報を再生可能であり、本実施例は、情報再生装置の機能或いは情報記録再生装置の機能を含む。
【００９４】
（動作原理）
続いて、図４から図１６を参照して、本実施例に係る情報記録装置１の動作原理について説明する。
【００９５】
（１）記録動作全体
先ず、図４を参照して、本実施例に係る情報記録装置１の、各種データを記録する際の記録動作全体の流れについて説明する。ここに、図４は、本実施例に係る情報記録装置１の記録動作全体の流れを概念的に説明するフローチャートである。
【００９６】
図４に示すように、先ず光ディスク１００が情報記録装置にローディングされる（ステップＳ１０１）。そして、ＣＰＵ５５０の制御下で、光ピックアップ５０１によりシーク動作が行われ、光ディスク１００への記録処理に必要な各種管理用データが取得される。特に、リードインエリア１０４におけるランドプリピット（ＬＰＰ）を読み取ることで、予め定められている所定の（或いは、デフォールトとしての）パルスストラテジを取得する。この管理用データに基づいて、ＣＰＵ５５０の制御により、例えば外部入力機器等からの指示に応じて、例えば外部入力インタフェース等を介して光ディスク１００へのデータの記録が行われる。
【００９７】
このローディング動作の後、実際にデータを記録する際の最適レーザパワーと最適なパルス比（即ち、上述のＰｏ／Ｐｍ比）である最適比が検出される（ステップＳ１０２）。この最適比の検出動作については、後に詳述する（図５等参照）。
【００９８】
そして、実際に記録すべきデータを光ディスク１００の所定のアドレス位置より記録する（ステップＳ１０３）。ここではレーザドライブ回路５０４により、ステップＳ１０２で検出された最適レーザパワーに対応する駆動パルスをステップＳ１０２で検出された最適比で変化させることで、レーザパワーを変化させながらレーザ光ＬＢを照射する。そして、図１に示すデータ記録エリア１０６にデータが主として記録される。
【００９９】
具体的には、外部入力インタフェース等より入力される記録用のデータは、ＤＶＤモジュレータ３７０によりＤＶＤ変調（例えば、８−１６変調）が施される。そして、変調が施されたデータに対して、データ誤り訂正用の符号たるＥＣＣコードが、例えば所定のブロック単位（例えば、ＥＣＣブロック単位）毎に付加される。その後、光ピックアップ５０１より所望のレーザ光ＬＢが照射されることで、変調が施され且つＥＣＣコードが付加された記録用のデータが記録ピット、記録マーク或いは記録パターンとして光ディスク１００上に記録される。
【０１００】
その後、全てのデータの記録が終了したか否かを判定する（ステップＳ１０４）。この判定の結果、全てのデータの記録が終了したと判定された場合（ステップＳ１０４：Ｙｅｓ）、そのまま記録動作を終了し、必要に応じてＤＶＤ−ＲＯＭとの互換性を保つためのファイナライズ処理を施したり、或いは光ディスク１００を情報記録装置１からイジェクトするように構成してもよい。
【０１０１】
続いて、図５から図１５を参照して、図４のステップＳ１０２における最適レーザパワーとパルス比との検出動作について説明を進める。ここでは、この検出動作として、第１動作例として、ＯＰＣ処理を行って最適レーザパワーを検出した後に、その最適レーザパワーに対応する駆動パルスのパルス比の検出動作を行う具体例と、第２動作例として、ＯＰＣ処理と同時にパルス比の検出動作を行う具体例について説明を進める。
【０１０２】
（２）第１動作例
先ず、図５から図１１を参照して、第１動作例について説明する。ここでは、図５を参照して検出動作全体の流れを説明しながら、適宜他の図面を参照することで第１動作例を説明する。ここに、図５は、第１動作例に係る検出動作の流れを概念的に示すフローチャートである。
【０１０３】
尚、第１動作例は、はじめに所謂ＯＰＣを行なうことで最適レーザパワーを検出し、その後に、最適レーザパワーに対応する駆動パルスのＰｏ／Ｐｍ比を適宜変化させながら最適なＰｏ／Ｐｍ比を検出する動作の態様である。
【０１０４】
図５に示すように、先ずＬＰＰアサインストラテジ情報より、デフォールトとしてのＰｏ／Ｐｍ比（或いは、パルスストラテジ）を読み込み、メモリ５６０に記録する（ステップＳ２０１）。具体的には、記録アサインストラテジ検出器５１４の動作により、ＬＰＰデータからデフォールトとしてのＰｏ／Ｐｍ比を読み込む。このとき、図４のステップＳ１０１における動作時に予めデフォールトとしてのパルスストラテジを取得していれば、このステップＳ２０１における動作は省略してもよい。
【０１０５】
続いて、ＯＰＣ処理を行なう（ステップＳ２０２）。ここで、ＯＰＣ処理について、図６を参照しながら詳細な説明を加える。ここに、図６は、本実施例に係る情報記録装置の動作において、１６パワーステップの場合の１回のＯＰＣ処理を示した模式的タイミングチャート図である。
【０１０６】
まず、ＣＰＵ５５０による制御下で、本発明における「第１書込手段ないし第３書込手段」の一具体例たる光ピックアップ５０１が光ディスク１００上の例えばリードインエリア１０４等に設けられたＰＣＡ（Power Control Area）へ移動される。そして、順次段階的に（例えば、相互に異なる１６段階の）レーザパワーが切り換えられて、本発明における「第１試し情報或いは第３試し情報」の一具体例たるＯＰＣパターン等のテスト信号がＰＣＡに記録される。具体的には、ＯＰＣ回路５０５により生成される図６に示すような基準ＯＰＣパターン等のテスト信号が記録される。テスト信号としては、例えば３Ｔ〜１４Ｔのランダムパターンが一つの例として挙げられる。このようなＯＰＣパターンは、ＣＰＵ５５０の制御の下に、所定のパルスストラテジに従って作成される。図６では、段階的に切り替えられるレーザパワー毎に、ランダムパターンのうち３Ｔパターンのテスト信号を記録する第１ピット区間及び１１Ｔパターンのテスト信号を記録する第２ピット区間を含んだＯＰＣパターンを記録する態様を一具体例として示している。もちろん、段階的に切り替えられるレーザパワー毎に、異なるＯＰＣパターンを用いるように構成してもよい。
【０１０７】
レーザドライブ回路５０４は、このＯＰＣパターンにより、レーザパワーを順次段階的に切り換えるように、光ピックアップ５０４内の半導体レーザを駆動する。このＯＰＣ処理においては、図５のステップＳ２０１において読み込まれたＰｏ／Ｐｍ比により規定される波形を有する駆動パルスに基づいて照射されるレーザ光ＬＢによりＯＰＣパターンが記録される。
【０１０８】
その後、このようなＰＣＡへのＯＰＣパターンの記録完了後には、ＣＰＵ５５０の制御下で、該ＰＣＡにおける記録部分（即ち、ＯＰＣパターン）が再生される。そして、段階的に切り替えられたレーザパワー毎に、再生されたＲＦ信号より、各種再生品質を検出する。例えば、ＲＦ振幅測定回路５２１の動作により測定されるＲＦピーク値及びＲＦボトム値からアシンメトリ（或いは、β値）を検出したり、ジッタ計測回路５４０の動作によりジッタ値を検出したり、ＬＰＰデータ検出器５１２或いはＬＰＰエラーレート検出器５１３の動作によりＡＲ特性（或いは、記録後ＬＰＰ特性）を検出したりしてもよい。このような再生品質の検出が、段階的に切り替えられたレーザパワー毎に、１回のＯＰＣ処理において、例えば記録されたＯＰＣパターンの回数に応じて行われる。
【０１０９】
その結果、図７に示すような、順次段階的に切り替えられたレーザパワーとそのレーザパワーにて記録されたＯＰＣパターンの各種再生品質との関係を示す相関情報（即ち、本発明における「第２相関情報」の一具体例）を作成することができる。ここに、図７は、ＯＰＣ動作により作成された相関情報を概念的に示すグラフである。
【０１１０】
例えば、アシンメトリを縦軸に、段階的に切り替えられたレーザパワーを横軸にとるグラフ上において、ＯＰＣパターンの再生により得られたアシンメトリをプロットし、且つ近似曲線で結ぶことで、図７（ａ）に示すような相関情報を得ることができる。係る近似曲線は、例えば最小二乗法等の数学的又は統計的手法を用いて作成することができる。
【０１１１】
また、他の再生品質たるＡＲ特性においても同様に、図７（ｂ）に示すような相関情報を作成することができる。また、他の再生品質たるジッタ値においても同様に、図７（ｃ）に示すような相関情報を作成することができる。
【０１１２】
このような相関情報に基づき、本発明における「最適パワー検出手段」の一具体例たるＣＰＵ５５０の制御の下に、最適レーザパワーが検出される。ＯＰＣ処理では、アシンメトリやジッタ値が最適な或いは好適な値をとるようなレーザパワーを最適レーザパワーとして検出することが好ましい。例えば、アシンメトリが０となるようなレーザパワーを最適レーザパワーとして検出してもよいし、或いはジッタ値が最小となるような（或いは、８％以下となるような）レーザパワーを最適レーザパワーとしてもよい。即ち、この「アシンメトリが０となる」条件や「ジッタ値が８％以下となる」条件が、本発明における所定の第２基準の一具体例に相等する。もちろん、この検出方法に限らず、ＯＰＣパターンを記録した光ディスク１００の規格上許容される再生品質を実現可能なレーザパワーを最適レーザパワーとしても検出してもよい。
【０１１３】
尚、上述の説明では相関情報をより分かりやすく説明するためにグラフを用いて説明をしているが、実際にこのようなグラフを作成せずに最適レーザパワーを検出してもよいことは言うまでもない。即ち、ＯＰＣパターンの再生によって得られるレーザパワーと各種再生品質との関係に応じて、例えば数学的に演算等を行うことで最適レーザパワーを検出してもよい。
【０１１４】
再び図５において、上述したようにＯＰＣ処理の結果として最適レーザパワーが検出される（ステップＳ２０３）。続いて、ＣＰＵ５５０の制御の下に、本発明における「第２書込手段ないし第３書込手段」の一具体例たる光ピックアップ５０１が所定のエリアに移動し、Ｐｏ／Ｐｍ比を適宜変化させながら、本発明における「第２試し情報或いは第３試し情報」の一具体例たる試し記録用の試しデータを光ディスク１００の所定のエリアに記録する（ステップＳ２０４）。具体的には、Ｐｏ／Ｐｍ比変更回路５０６の動作によりＰｏ／Ｐｍ比を例えば０．０５刻みで（即ち、１．３５、１．４０、１．４５、・・・、１．６５等のように）変化させながら、所定のエリアに、３Ｔパターン等の試しデータを記録する。もちろん、所定量ずつ段階的にＰｏ／Ｐｍ比を変化させることに代えて、例えば５ＥＣＣブロック記録する毎にＰｏ／Ｐｍ比を０．０５増加させるというように、所定割合ずつ連続的にＰｏ／Ｐｍ比を変化させるように構成してもよい。また、この場合のレーザパワーは、ステップＳ２０３で検出された最適レーザパワーに固定されている。
【０１１５】
その後、本発明における「作成手段」の一具体例たるＣＰＵ５５０の制御の下に、ステップＳ２０４において記録された試しデータを再生することで、本発明における「第１相関情報」の一具体例たるＰｏ／Ｐｍ比と再生品質との相関関係を示す相関情報を作成する（ステップＳ２０５）。試しデータの再生品質として、上述したようにアシンメトリ、ジッタ値及びＡＲ特性を測定することが好ましい。
【０１１６】
ここでは、例えば、図８に示すような相関情報を作成する。ここに、図８は、Ｐｏ／Ｐｍ比と再生品質との相関関係を示す相関情報を概念的に示すグラフである。
【０１１７】
アシンメトリ、ジッタ値及びＡＲ値等の再生品質を縦軸に、適宜変化させられたＰｏ／Ｐｍ比を横軸にとるグラフ上において、試しデータの再生により得られたアシンメトリ、ジッタ値及びＡＲ値の夫々をプロットし、且つ近似曲線で結ぶことで、図８に示すような相関情報を得ることができる。係る近似曲線は、上述したように、例えば最小二乗法等の数学的又は統計的手法を用いて作成することができる。
【０１１８】
再び図５において、本発明における「最適比検出手段」の一具体例たるＣＰＵ５５０の制御の下に、ステップＳ２０５において作成された相関情報に基づいて、最適なＰｏ／Ｐｍ比たる最適比が検出される（ステップＳ２０６）。具体的には、ジッタ値が最適或いはアシンメトリが最適なときのレーザパワーにおけるＡＲ特性が最適であるようなＰｏ／Ｐｍ比を最適比として検出する。即ち、本実施例に係る情報記録装置１は、データの再生品質のうちＡＲ特性を特に重要視して最適比を決めるように構成されている。そして、この「ジッタ値が最適或いはアシンメトリが最適なときのレーザパワーにおけるＡＲ特性が最適である」条件が、本発明における「所定の第１基準」の一具体例に相当する。但し、この第１動作例でいう「ＡＲ特性が最適」とは、ＡＲ特性が光ディスク１００の規格上良好な値を示しているという趣旨であり、例えば光ディスク１００がＤＶＤ−Ｒの場合には、ＡＲ特性が１５％以上の値を実現しており、例えば光ディスク１００がＤＶＤ−ＲＷの場合には、ＡＲ特性が１０％以上の値を実現していることを示す。同様に、「ジッタ値が最適」とは、ジッタ値が光ディスク１００の規格上良好な値を示しているという趣旨であり、例えば光ディスク１００がＤＶＤ−Ｒ／ＲＷの場合には、ジッタ値が８％以下の値（より好ましくは、より小さな値）を実現していることを示す。同様に、「アシンメトリが最適」とは、アシンメトリが光ディスク１００の規格上良好な値を示しているという趣旨であり、例えば光ディスク１００がＤＶＤ−Ｒ／ＲＷの場合には、アシンメトリが−５％から１５％の範囲の値（より好ましくは、０％の値）を実現していることを示す。
【０１１９】
この最適比の検出について、具体的に上述の図８に示した相関情報を参照して説明する。図８の相関情報に示すように、ジッタ値が例えば最小（図８では、概ね６％程度）となる場合のＰｏ／Ｐｍ比は“１．５３”となっている。このとき、ＡＲ特性は“１１％”となっており、規格上好ましい値とはなっていないため、Ｐｏ／Ｐｍ比＝“１．５３”を最適比として検出することはできない。他方、アシンメトリが例えば０％となる場合のＰｏ／Ｐｍ比は、“１．６１”となっている。このとき、ＡＲ特性は“１６％”となっており、規格上好ましい値となっている。従って、このＰｏ／Ｐｍ比＝“１．６１”を最適比として検出する。
【０１２０】
尚、ここでは、ジッタ値が最小或いはアシンメトリが“０％”となる場合において、ＡＲ特性が最適となるようなＰｏ／Ｐｍ比を最適比として検出しているが、これに限らず、例えばジッタ値が８％以下（即ち、最適となる）或いはアシンメトリ−５％から１５％となる（即ち、最適となる）ような場合において、ＡＲ特性が最適となるようなＰｏ／Ｐｍ比を最適比として検出してもよい。また、必要に応じては、アシンメトリが最適な範囲になく且つジッタ値とＡＲ特性の双方が最適な範囲となるようなパルス比を最適比として検出してもよいし、ジッタ値が最適な範囲になく且つアシンメトリとＡＲ特性の双方が最適な範囲にあるパルス比を最適比として検出してもよい。或いは、高速記録時のＬＰＰ信号のエラーレートを低下させるという観点を強調すれば、ジッタ値とアシンメトリとの双方が最適な範囲になくとも、ＡＲ特性がより最適な範囲にあるパルス比を最適比として検出するように構成してもよい。但し、より好適な再生品質を実現する（即ち、適切にデータを記録する）という観点からは、ジッタ値が最小或いはアシンメトリが“０％”となるような場合においてＡＲ特性が最適となるようなＰｏ／Ｐｍ比を最適比として検出することが好ましいし、アシンメトリとジッタ値とＡＲ特性との夫々が最適な範囲にあるパルス比を最適比として検出することが好ましい。
【０１２１】
また、Ｐｏ／Ｐｍ比をより広い範囲（例えば、図８に図示しない１．３５以下の範囲や１．６５以上の範囲等）で変化させることで、より良好な再生品質を実現できるようなパルス比を最適比として検出するように構成してもよい。このＰｏ／Ｐｍ比を変化させる範囲は、予めデフォールトとして定められるように構成してもよいし、情報記録装置１により或いは当該情報記録装置１のユーザにより適宜定められるように構成してもよい。
【０１２２】
更に、図８に示すような相関情報は、本発明における「格納手段」の一具体例たるメモリ５６０に記録するように構成してもよいし、或いは光ディスク１００の所定の記録領域に記録するように構成してもよい。
【０１２３】
このように通常のＯＰＣで重視するアシンメトリやジッタ値に加えて、ＡＲ特性を特に重視して最適比を検出することで、特に高速な記録速度で記録されたな再生品質を得ることができる。これは高速記録時に光ディスク１００上に形成される記録ピットと低速記録時に光ディスク１００上に形成される記録ピットとの相違に起因している。この記録ピットの相違について図９を参照して具体的に説明する。ここに、図９は、高速記録時と低速記録時の夫々において形成される記録ピットの形状を概念的に説明する斜視図である。
【０１２４】
図９（ａ）に示すように、低速記録時（具体的には、概ね１倍速や２倍速の記録速度での記録時）においては、光ディスク１００の回転速度が相対的に遅いため、レーザ光ＬＢを照射する時間が高速記録時（具体的には、概ね４倍速以上の記録速度での記録時）よりも長くなる。従って、記録ピットは適切なピット形状を有して形成される。
【０１２５】
これに対して、図９（ｂ）に示すように、高速記録時には、光ディスク１００の回転速度が相対的に速いため、レーザ光ＬＢを照射する時間が低速記録時よりも短くなる。加えて、光ディスク１００の回転速度が増加するにつれて、記録動作に要するレーザ光ＬＢのパワーも増加する。従って、短時間で且つ高レーザパワーのレーザ光ＬＢの照射に起因して、記録ピットがグルーブトラックＧＴ上のみならずＬＰＰ上にまで形成されてしまう。これにより、ＬＰＰの読取特性であるＡＲ特性が大幅に悪化してしまう。
【０１２６】
しかるに、本実施例に係る情報記録装置１によれば、再生品質としてＡＲ特性を重視してレーザ光ＬＢのＰｏ／Ｐｍ比を検出するため、高速記録時においても、低速記録時のように適切な形状を有する記録ピットを形成することができる。即ち、高速記録時においても良好な再生品質（特に、ＡＲ特性）を得ることが可能となる。特に、図９（ｃ）の右側に示すような駆動パルス（即ち、トップパルスとミドルパルスとを有する駆動パルス）に基づきレーザ光を照射することでより、図９（ｂ）に示すようにＬＰＰの部分にまで記録マークを形成されることを効果的に防ぐことが可能となる。即ち、図９（ｃ）の左側に示すように、高速記録時に要するレーザ光ＬＢのレーザパワーで書き込んでも、低速記録時と同様に適切な形状の記録マークを形成することが可能となる。仮にこの駆動パルスがミドルパルスを有しない（即ち、トップパルスのみ）ものであれば、記録マークの中間部分が膨らみ、その記録マークの膨らみがＬＰＰにまで跨ってしまう。しかるに、図９（ｃ）に示すようなミドルパルスに対応する駆動パルスに基づいてレーザ光ＬＢを照射すれば、当該ミドルパルスに対応する期間のレーザパワーを相対的に小さくし、記録マークの膨らみを防ぐことができる。また、ＡＲ特性のみを重視するのではなく、他の再生品質たるアシンメトリやジッタ値ももちろん良好な特性がえら得るようなパルス比を最適比と検出しているため、より良好な再生品質を得ることが可能である。即ち、従来の情報記録装置と比較して、記録されるデータの再生品質をより向上させることが可能となる。
【０１２７】
尚、このようにＰｏ／Ｐｍ比を変化させることで良好な再生品質を得ることは、図１０に示すグラフからみても適切であることが分かる。ここに、図１０は、レーザパワーとジッタ値との相関関係を、Ｐｏ／Ｐｍ比毎に区別して表示するグラフである。
【０１２８】
図１０に示すように、Ｐｏ／Ｐｍ比を段階的に変化させて記録されたデータのジッタ値は、同一レーザパワーで記録された場合であっても、Ｐｏ／Ｐｍ比に依存していることが分かる。例えば、Ｐｏ／Ｐｍ比が“１．６０”の場合において、レーザパワーが“１６．５ｍＷ”の時のジッタ値は“６．７％”である。対して、Ｐｏ／Ｐｍ比を０．０５だけ減少させた場合、即ちＰｏ／Ｐｍ比が“１．５５”の場合において、レーザパワーが“１６．５ｍＷ“の時のジッタ値は”５．２％“である。即ち、Ｐｏ／Ｐｍ比という一つのパラメータを操作する（この場合、”０．０５“変化させる）ことで、ジッタ値を大幅に（この場合は、概ね１．５％）減少させることができる。従って、好適なＰｏ／Ｐｍ比を検出して記録動作を行なうことは、記録されるデータの再生品質の向上という観点からは非常に効果的であり且つ効率的であるといえる。
【０１２９】
尚、上述した第１動作例の説明においては、最適レーザパワーを検出した後に、Ｐｏ／Ｐｍ比を適宜変化させた上で、相関情報を作成して最適比を検出しているが、この手順に限られるものではない。要は、ＯＰＣにより検出された最適レーザパワーにおいてＰｏ／Ｐｍ比を変化させてなる駆動パルスに基づいて照射されるレーザ光ＬＢにより試しデータを記録することで最適比を検出する構成であれば第１動作例の範囲に含まれるものである。例えば、第１動作例に係る他の例として、図１１に示すように、Ｐｏ／Ｐｍ比を一回変化させる毎に試しデータを記録し且つ記録された試しデータを再生して、再生品質が一定の条件を満たしていれば、そのＰｏ／Ｐｍ比を最適比と検出するように構成してもよい。ここに、図１１は、第１動作例の他の例の流れを概念的に示すフローチャートである。
【０１３０】
図１１に示すように、ステップＳ２０１からステップＳ２０３の各動作においては、上述した図５における説明と同様に最適レーザパワーを検出する。その後、本発明における「判定手段」の一具体例たるＣＰＵ５５０の動作により、ジッタ値が最適となる時の或いはアシンメトリが最適となるときのレーザパワー（即ち、ステップＳ２０３において検出された最適レーザパワー）において、ＡＲ特性が最適になるか否かを判定する（ステップＳ３０１）。
【０１３１】
この判定の結果、ＡＲ特性が最適になると判定された場合（ステップＳ３０１：Ｙｅｓ）、この最適レーザパワーを検出した際のＰｏ／Ｐｍ比を最適として検出する（ステップＳ３０２）。
【０１３２】
他方、ＡＲ特性が最適にならないと判定された場合（ステップＳ３０１：Ｎｏ）、続いてジッタ値が前回の判定動作の際のジッタ値よりも悪化しているか否かが判定される（ステップＳ３０２）。例えば今回のジッタ値が“７．１％”であり、前回のジッタ値が“７．９％”であれば、ジッタ値は悪化していると判定される。尚、ここでは、ジッタ値でなくともアシンメトリが悪化しているか否かを判定してもよい。
【０１３３】
この判定の結果、ジッタ値が悪化していないと判定された場合（ステップＳ３０２：Ｎｏ）、Ｐｏ／Ｐｍ比を修正する（即ち、変化させる）（ステップＳ３０３）。ここでは、例えばＰｏ／Ｐｍ比を“０．０５”だけ増加させたり、或いは“０．０５”だけ減少させたりする。そして、初めてＰｏ／Ｐｍ比を修正する場合には、デフォールトとしてＰｏ／Ｐｍ比が増加するように構成してもよいし、或いは減少するように構成してもよい。
【０１３４】
他方、ジッタ値が悪化していると判定された場合（ステップＳ３０２：Ｙｅｓ）、Ｐｏ／Ｐｍ比の修正に係るステップの極性を変更した後（ステップＳ３０４）、Ｐｏ／Ｐｍ比を修正する（ステップＳ３０３）。即ち、前回の修正時にＰｏ／Ｐｍ比を増加させていた場合には、Ｐｏ／Ｐｍ比を減少させるように、また前回の修正時にＰｏ／Ｐｍ比を減少させていた場合には、Ｐｏ／Ｐｍ比を増加させるように極性の変更を行う。
【０１３５】
もちろん初めてステップＳ３０２における判定動作を実行する時には、前回に測定したジッタ値はないため、例えばＰｏ／Ｐｍ比を単に“０．０５”増加させる、或いは単に“０．０５”減少させるように構成することが好ましい。
【０１３６】
更にこの場合、Ｐｏ／Ｐｍ比の修正量を変更するように構成してもよい。例えばジッタ値が悪化した場合には、極性を変更すると共に修正量も減少するように構成すれば、いずれＡＲ特性が最適となるようなＰｏ／Ｐｍ比を検出することができる。加えて、必要に応じては、ジッタ値が悪化していても修正量の極性を変更しないように構成してもよい。
【０１３７】
その後、修正後のＰｏ／Ｐｍ比に基づいて、光ディスク１００の所定の記録エリアに試しデータを記録する（ステップＳ３０５）。加えて、記録した試しデータを再生することで、当該試しデータの再生品質を測定する（ステップＳ３０５）。この再生品質に基づいて、再度ステップＳ３０１の判定動作を行ない、最適比を検出する。
【０１３８】
これによっても最適比を適切に検出することができ、その結果、上述した各種利益を享受することが可能となる。加えて、最適比を検出することができれば、必要以上にＰｏ／Ｐｍ比の変更（或いは、修正）を行う必要がないため、効率的に最適比を検出することが可能となる。
【０１３９】
以上の結果、本実施例に係る情報記録装置１によれば、好適なＰｏ／Ｐｍ比たる最適比を好適に検出することができる。それに伴って、記録されるデータの再生品質をより向上させることが可能となる。
【０１４０】
また、本実施例では、本発明における「制御情報」の一具体例としてＬＰＰを用いて説明をしたが、もちろんこれに限られるものではない。例えば、光ディスク１００の一具体例としてのＤＶＤ＋Ｒ／ＲＷでは、グルーブトラックを所定周期でうねらせることによりウォブルを作成しており、また該ウォブルに例えばＢＰＭ（Bi Phase Modulation）変調を施すことで本発明における「プリ情報」の一具体例を記録している。従って、この場合は、再生品質として、ＡＲ特性に代えてウォブルの読取エラーレート等（例えば、ＡＴＩＰ（Absolute Time In Pre-groove）等）により本実施例における各種動作（特に、最適比の検出動作）を行なうことが好ましい。
【０１４１】
また、ＡＲ特性に加えて又は代えて、再生品質としてＲＦ信号の変調度やデータを再生したときの誤り個数をカウントすることで求められるエラーレートであるＰＩエラーやＲＦ信号自体のエラーレート等を用いるように構成してもよい。
【０１４２】
（３）第２動作例
続いて、図１２から図１４を参照して、第２動作例について説明する。ここに、図１２は、第２動作例に係る検出動作の流れを概念的に示すフローチャートである。
【０１４３】
尚、第２動作例は、第１動作例と異なり、ＯＰＣ動作中にパルス比を変化させて最適比を検出する手法である。即ち、あるパルス比でＯＰＣを行い、それを再生することにより測定される再生品質が所定の基準を満たさなければ、パルス比を変化させた後に再度ＯＰＣを行うことで最適比を検出する手法である。
【０１４４】
図１２に示すように、ステップＳ２０１からステップＳ２０２の各動作においては、上述した図５における説明と同様にＯＰＣを行う。その後、ＯＰＣ動作により求められたレーザパワーと各種再生品質との相関関係を示す相関情報（図７参照）をメモリ５６０に記録する（ステップＳ４０１）。
【０１４５】
その後、本発明における「判定手段」の一具体例たるＣＰＵ５５０の動作により、ステップＳ４０１で記録された相関情報に基づいて、ジッタ値が最小値となる時の或いはアシンメトリが０％となるときのレーザパワーにおいて、ＡＲ特性が最適になるか否かを判定する（ステップＳ４０２）。
【０１４６】
この判定の結果、ＡＲ特性が最適になると判定された場合（ステップＳ４０２：Ｙｅｓ）、ステップＳ２０２においてＯＰＣを実行した際のＰｏ／Ｐｍ比を最適として検出する（ステップＳ４０３）。そして、そのＯＰＣにより検出されるレーザパワーを最適レーザパワーとして検出する（ステップＳ４０４）。
【０１４７】
他方、ＡＲ特性が最適にならないと判定された場合（ステップＳ４０２：Ｎｏ）、続いてジッタ値が前回の判定動作の際のジッタ値よりも悪化しているか否かが判定される（ステップＳ３０２）。
【０１４８】
尚、ここでは、ステップＳ４０２における判定の際にジッタボトムとなるレーザパワーに対応するＡＲ特性が最適であるか否かを判定していれば、ジッタ値が悪化しているか否かが判定されることが好ましい。他方、ステップＳ４０２における判定の際に、ジッタ値ではなくアシンメトリが“０”となるレーザパワーに対応するＡＲ特性が最適であるか否かを判定していれば、アシンメトリが悪化しているか否かが判定されることが好ましい。
【０１４９】
この判定の結果、ジッタ値が悪化していないと判定された場合（ステップＳ３０２：Ｎｏ）、Ｐｏ／Ｐｍ比を修正する（ステップＳ３０３）。他方、ジッタ値が悪化していると判定された場合（ステップＳ３０２：Ｙｅｓ）、Ｐｏ／Ｐｍ比の修正に係るステップの極性を変更し（ステップＳ３０４）、Ｐｏ／Ｐｍ比を修正する。
【０１５０】
その後、修正後のＰｏ／Ｐｍ比に基づいて、再度ステップＳ２０２においてＯＰＣ動作を行なう。そして、その後の動作を繰り返すことで、最適比を検出する。
【０１５１】
ここで、ステップＳ４０２の判定動作について、具体的に図１３及び図１４に参照される相関情報を参照しながら説明する。ここに、図１３及び図１４は、ＯＰＣ動作により作成されるレーザパワーとジッタ値及びＡＲ特性の夫々との相関関係を示すグラフである。
【０１５２】
図１３に示すような相関情報が図１２のステップＳ２０２におけるＯＰＣ動作により作成されたとする。このとき、Ｐｏ／Ｐｍ比は“１．４５”であったとする。この場合、ジッタ値が最小となる場合のレーザパワーにおいて、ＡＲ特性は“１５％”以下の数値を示している。即ち、この場合、ＡＲ特性は最適ではないと判定されるので、図１２のステップＳ３０２へ進み、Ｐｏ／Ｐｍ比が修正された上で再度ＯＰＣ動作が行なわれる。
【０１５３】
このとき、Ｐｏ／Ｐｍ比が“０．０５”増加するように修正がなされたとする。この後、図１２のステップＳ２０２におけるＯＰＣ動作が再度行なわれ、図１４に示す相関情報が新たに作成される。このときのＰｏ／Ｐｍ比は、修正されているため“１．５０”となっている。この場合、ジッタ値が最小となる場合のレーザパワーにおいて、ＡＲ特性は“１５％”以上の数値を示している。即ち、この場合、ＡＲ特性は最適であると判定されるので、図１２のステップＳ４０３へ進み、主生後のＰｏ／Ｐｍ比である“１．５０”が最適比として検出される。
【０１５４】
このようにＯＰＣ動作と同時にＰｏ／Ｐｍ比を修正するような第２動作例の態様であっても、上述した第１動作例と同様に、最適比を適切に検出することができる。従って、記録されるデータの再生品質をより向上させることが可能となる。加えて、最適比を検出することができれば、必要以上にＰｏ／Ｐｍ比の変更（或いは、修正）を行う必要がないため、効率的に最適比を検出することが可能となる。
【０１５５】
（４）第３動作例
続いて、図１５を参照して、第３動作例について説明する。ここに、図１５は、第３動作例に係る検出動作の流れを概念的に示すフローチャートである。
【０１５６】
尚、第３動作例は、上述したＰｏ／Ｐｍ比と各種再生品質との相関関係を示す相関情報（図８参照）を予め最初に作成しておいて最適比を検出する手法である。
【０１５７】
図１５に示すように、ステップＳ２０１からステップＳ２０２の各動作においては、上述した図５における説明と同様にＯＰＣを行う。その後、ＯＰＣ動作により求められたレーザパワーと各種再生品質との相関関係を示す相関情報（図７参照）をメモリ５６０に記録する（ステップＳ４０１）。
【０１５８】
その後、予めＯＰＣを行うと規定されただけのＰｏ／Ｐｍ比の全てに対するＯＰＣが終了したか否かが判定される（ステップＳ５０１）。このＯＰＣを行うと規定されたＰｏ／Ｐｍ比は、予め定められているものであってもよいし、或いは情報記録装置１或いは当該情報記録装置１のユーザ等により指定されていてもよい。例えば、Ｐｏ／Ｐｍ比が“１．４０”から“１．６５”の範囲で、且つ数値が“０．０５”刻みのＰｏ／Ｐｍ比に対してＯＰＣを行うと定められていれば、Ｐｏ／Ｐｍ比が“１．４０”、“１．４５”、“１．５０”、“１．５５”、“１．６０”の全てにおいてＯＰＣが行われたかが判定される。
【０１５９】
この判定の結果、全てのＰｏ／Ｐｍ比に対するＯＰＣが終了していないと判定された場合（ステップＳ５０１：Ｎｏ）、Ｐｏ／Ｐｍ比を適宜修正する（ステップＳ５０４）。そして、ステップＳ２０２の動作により再度修正後のＰｏ／Ｐｍ比においてＯＰＣが行われる。
【０１６０】
他方、全てのＰｏ／Ｐｍ比に対するＯＰＣが終了していると判定された場合（ステップＳ５０１：Ｙｅｓ）、続いてメモリ５６０に記録されたレーザパワーと各種再生品質との相関関係を示す相関情報に基づいて、Ｐｏ／Ｐｍ比と各種再生品質との相関関係を示す相関情報を作成する（ステップＳ５０２）。
【０１６１】
具体的には、例えばステップＳ２０２のＯＰＣで作成される相関情報より、例えばジッタが最小となるジッタボトムのレーザパワーに対応するアシンメトリ及びＡＲ特性を夫々抽出する。この動作を、ＯＰＣを行なったＰｏ／Ｐｍ比の数だけ行い、新たに横軸をＰｏ／Ｐｍ比とし、縦軸を再生品質とするグラフ上にプロットすることで、例えば図８に示すような新たな相関情報が作成される。ここで作成された相関情報は、メモリ５６０に記録するように構成してもよいし、或いは光ディスク１００に記録するように構成してもよい。
【０１６２】
尚、ジッタボトムのレーザパワーに対応するアシンメトリ及びＡＲ特性の夫々を抽出することに代えて、アシンメトリが“０”となるレーザパワーに対応するジッタ値及びＡＲ特性の夫々を抽出するように構成してもよい。
【０１６３】
その後、作成された相関情報に基づいて、ジッタボトム或いはアシンメトリが“０”となるレーザパワーに対応するＡＲ特性が最適なＰｏ／Ｐｍ比が最適比として検出される（Ｓ５０３）。例えば、ステップＳ５０２において、ジッタボトムのレーザパワーに対応するアシンメトリ及びＡＲ特性を夫々抽出して相関情報が作成されていれば、グラフ上に形成されるジッタ値の近似曲線は全てジッタボトムとなる条件を満たしているため、ＡＲ特性が最適となるＰｏ／Ｐｍ比を検出すればよい。このとき、加えてアシンメトリが最適となるような（より好ましくは“０”となるような）Ｐｏ／Ｐｍ比を最適比と検出することがより好ましい。或いは、ステップＳ５０２において、アシンメトリが“０”となるレーザパワーに対応するジッタ値及びＡＲ特性を夫々抽出して相関情報が作成されていれば、グラフ上に形成されるアシンメトリの近似曲線は全て“０”となる条件を満たしているため、ＡＲ特性が最適となるＰｏ／Ｐｍ比を検出すればよい。このとき、加えてジッタボトムが最適となるような（より好ましくはより小さなジッタ値となるような）Ｐｏ／Ｐｍ比を最適比と検出することがより好ましい。
【０１６４】
このように、予めＰｏ／Ｐｍ比と各種再生品質との相関関係を示す相関情報を作成しておく第３動作例のような態様であっても、適切に最適比を検出することができる。従って、上述した各種利益を享受することが可能となる。
【０１６５】
（５）記録動作の変形例
続いて、図１６を参照して、上述した記録動作の変形例について説明を進める。ここに、図１６は、変形例に係る記録動作全体の流れを概念的に示すフローチャートである。
【０１６６】
図１６に示すように、先ず光ディスク１００をローディングし（ステップＳ１０１）、その後、当該光ディスク１００に対して基準記録速度である１倍速の記録速度に対して４倍速以上の記録速度で記録動作を行なうか否かが判定される（ステップＳ６０１）。
【０１６７】
この判定の結果、４倍速以上の記録速度で記録動作を行なうと判定された場合（ステップＳ６０１：Ｙｅｓ）、上述の第１動作例から第３動作例において例示したように最適レーザパワーと最適比が検出される（ステップＳ１０２）。そして、その後の記録動作が行なわれステップＳ１０２）、必要に応じて記録動作を継続したり或いは記録動作を終了する。
【０１６８】
他方、４倍速未満の記録速度（例えば、１倍速や２倍速等の記録速度）で記録動作を行うと判定された場合（ステップＳ６０１：Ｎｏ）、通常のＯＰＣ動作を行なって最適レーザパワーを検出する（ステップＳ６０２）。そして、その後に記録動作が行なわれる（ステップＳ１０３）。ここでは、ステップＳ６０２において検出された最適レーザパワーと例えばＬＰＰアサインストラテジとにより定まる駆動パルスに基づいてレーザ光ＬＢを照射することで記録動作を行なう。そして、必要に応じて記録動作を継続したり或いは記録動作を終了する。
【０１６９】
このように、記録速度に応じて最適比を検出するか否かを決めることで、特にＡＲ特性の悪化が大きな問題となる高速記録時（即ち、４倍速以上の記録速度での記録時）においては上述したようにＡＲ特性の向上に重点をおいて、最適比を検出している。これにより、高速記録時においては、上述した各種利益を享受することができる。
【０１７０】
他方、ＡＲ特性の悪化がそれ程大きな問題とならない低速記録時（即ち、４倍速未満の記録速度での記録時）には、この最適比を検出する動作を省略しても、例えばＬＰＰアサインストラテジを用いることでＡＲ特性をそれ程悪化させることなく、好適にデータを記録することができる。そして、上述の如き最適比の検出動作を行なう必要がないため、情報記録装置１の処理負担を低減することが可能となる。
【０１７１】
もちろんこの変形例においても、低速記録時に記録されたデータの記録品質によっては、必要に応じて上述したように最適比の検出を行ってもよいことはいうまでもない。
【０１７２】
また、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。
【０１７３】
本発明は、上述した実施例に限られるものではなく、請求の範囲及び明細書全体から読み取れる発明の要旨或いは思想に反しない範囲で適宜変更可能であり、そのような変更を伴なう情報記録装置及び方法、並びに、記録制御用のコンピュータプログラムもまた本発明の技術的範囲に含まれるものである。
【図面の簡単な説明】
【０１７４】
【図１】本発明の情報記録装置に係る実施例に用いられる情報記録媒体の一例たる光ディスクの基本構造を示し、上側部分は複数のエリアを有する光ディスクの概略平面図であり、これ
【図２】本発明の情報記録装置に係る実施例の基本構成を概念的に示すブロック図である。
【図３】本実施例に係る情報記録装置によりデータの記録時に照射されるレーザ光ＬＢと実際に記録される記録ピット（或いは、記録マーク）との夫々のパルスを時間軸に沿って概念的に示すタイミングチャートである。
【図４】本実施例に係る情報記録装置において、記録動作全体の流れを概念的に示すフローチャートである。
【図５】本実施例に係る情報記録装置における第１動作例の検出動作の流れを概念的に示すフローチャートである。
【図６】本実施例に係る情報記録装置の動作において、１６パワーステップの場合の１回のＯＰＣ処理を示した模式的タイミングチャート図である。
【図７】本実施例に係る情報記録装置において、ＯＰＣ動作により作成された相関情報を概念的に示すグラフである。
【図８】本実施例に係る情報記録装置により作成される、Ｐｏ／Ｐｍ比と再生品質との相関関係を示す相関情報を概念的に示すグラフである。
【図９】高速記録時と低速記録時の夫々において形成される記録マークの形状を概念的に説明する斜視図である。
【図１０】レーザパワーとジッタ値との相関関係を、Ｐｏ／Ｐｍ比別に表示するグラフである。
【図１１】本実施例に係る情報記録装置の第１動作例の他の例に係る動作の流れを概念的に示すフローチャートである。
【図１２】本実施例に係る情報記録装置の第２動作例に係る検出動作の流れを概念的に示すフローチャートである。
【図１３】本実施例に係る情報記録装置において、ＯＰＣ動作により作成されるレーザパワーとアシンメトリ及びＡＲ特性の夫々との相関関係の一の具体例を示すグラフである。
【図１４】本実施例に係る情報記録装置において、ＯＰＣ動作により作成されるレーザパワーとアシンメトリ及びＡＲ特性の夫々との相関関係の他の具体例を示すグラフである。
【図１５】本実施例に係る情報記録装置の第３動作例に係る検出動作の流れを概念的に示すフローチャートである。
【図１６】本実施例に係る情報記録装置の変形例に係る記録動作全体の流れを概念的に示すフローチャートである。
【符号の説明】
【０１７５】
１  情報記録装置
１００  光ディスク
５０１  光ピックアップ
５０１ａ  半導体レーザ装置
５０３  ＲＦアンプ
５０４  レーザドライブ回路
５０５  ＯＰＣ回路
５０６  Ｐｏ／Ｐｍ比変更回路
５１３  ＬＰＰエラーレート検出器
５１４  記録アサインストラテジ検出器
５２１  ＲＦ振幅測定回路
５４０  ジッタ測定回路
５５０  ＣＰＵ
５６０  メモリ
【図１】
2005228410.tif 000003
【図２】
2005228410.tif 000004
【図３】
2005228410.tif 000005
【図４】
2005228410.tif 000006
【図５】
2005228410.tif 000007
【図６】
2005228410.tif 000008
【図７】
2005228410.tif 000009
【図８】
2005228410.tif 000010
【図９】
2005228410.tif 000011
【図１０】
2005228410.tif 000012
【図１１】
2005228410.tif 000013
【図１２】
2005228410.tif 000014
【図１３】
2005228410.tif 000015
【図１４】
2005228410.tif 000016
【図１５】
2005228410.tif 000017
【図１６】
2005228410.tif 000018